(57)【要約】【課題】一の金型にて製造され、筐体の形状に対応して変形することができる装飾部材を前記筐体にて支持する構造を提供し、また該装飾部材の支持構造を備える表示装置を提供する。【解決手段】筐体１の一面に形成された二つの溝１０、１１の側面に被係止部１０ｂ、１１ｂを設け、該被係止部１０ｂ、１１ｂに装飾部材４の係止部４ｂを係止し、二つの溝１０、１１の間に装飾部材４の装飾部４ａを配置することによって、筐体１の意匠を変更するために前記二つの溝１０、１１の相対位置を変更した場合に、筐体１に支持される装飾部４ａは変更した溝の相対位置に対応して弾性変形する構成とした。【選択図】図７
2010089426.tif 000002
【特許請求の範囲】
【請求項１】
筐体の一面に形成された二つの溝の間を装飾する装飾部材を前記筐体にて支持する構造であって、
前記二つの溝の側面に被係止部を設けてあり、
前記装飾部材は、
前記二つの溝に挿入され、前記二つの溝の間にて弾性変形し前記二つの溝の間を装飾する装飾部と
該装飾部の前記二つの溝に挿入される部分に設けてあり、前記被係止部に係止する係止部と
を備えることを特徴とする装飾部材の支持構造。
【請求項２】
前記二つの溝は前記筐体の前記一面にて並設してあり、
前記筐体における前記二つの溝の間は外方に突出した曲面をなし、
前記装飾部は、前記曲面に沿って弾性変形した湾曲板部と、該湾曲板部に連なっており、前記二つの溝に挿入してある挿入板部とを備え、
前記湾曲板部の弾性復元力は、前記挿入板部同士が離反する方向に作用しており、
一方の前記溝の側面の内、他方の前記溝と反対側に位置する側面及び他方の前記溝の側面の内、一方の前記溝と反対側に位置する側面に前記被係止部をそれぞれ設けてあり、
前記係止部は前記挿入板部に設けてあり、前記湾曲板部の前記弾性復元力によって前記溝の側面に近接し、前記被係止部に当接していること
を特徴とする請求項１に記載の装飾部材の支持構造。
【請求項３】
前記二つの溝は前記筐体の前記一面にて並設してあり、
前記筐体における前記二つの溝の間は外方に突出した曲面をなし、
前記装飾部は、前記曲面に沿って弾性変形した湾曲板部と、該湾曲板部に連なっており、前記二つの溝に挿入してある挿入板部とを備え、
前記湾曲板部の弾性復元力は、前記挿入板部同士が接近する方向に作用しており、
一方の前記溝の側面の内、他方の前記溝側に位置する側面及び他方の前記溝の側面の内、一方の前記溝側に位置する側面に前記被係止部をそれぞれ設けてあり、
前記係止部は前記挿入板部に設けてあり、前記湾曲板部の前記弾性復元力によって前記溝の側面に近接し、前記被係止部に当接していること
を特徴とする請求項１に記載の装飾部材の支持構造。
【請求項４】
前記被係止部は凸形をなし、
前記係止部は凸形をなすこと
を特徴とする請求項１から３のいずれか一つに記載の装飾部材の支持構造。
【請求項５】
前記溝の内側にて凸形の前記係止部は凸形の前記被係止部よりも内奥に位置しており、
前記係止部と前記被係止部とは互いに逆向きに突出しており、
前記係止部と前記被係止部とを掛止してあること
を特徴とする請求項４に記載の装飾部材の支持構造。
【請求項６】
前記被係止部は凹形をなし、
前記係止部は凸形をなすこと
を特徴とする請求項１から３のいずれか一つに記載の装飾部材の支持構造。
【請求項７】
前記被係止部は凸形をなし、
前記係止部は凹形をなすこと
を特徴とする請求項１から３のいずれか一つに記載の装飾部材の支持構造。
【請求項８】
前記装飾部の前記湾曲板部を前記挿入板部よりも薄肉に形成してあることを特徴とする請求項２又は３に記載の装飾部材の支持構造。
【請求項９】
前記装飾部の前記湾曲板部に、前記溝に沿う複数の谷部を並設してあることを特徴とする請求項２又は３に記載の装飾部材の支持構造。
【請求項１０】
映像を表示する表示パネルを備える表示装置において、
前記表示パネルを収容する筐体の前記一面に形成された二つの溝の間を装飾する装飾部材を前記筐体に取付けた請求項１から９のいずれか一つに記載の装飾部材の支持構造を備えることを特徴とする表示装置。
【発明の詳細な説明】
【技術分野】
【０００１】
本発明は筐体の一面を装飾する装飾部材を筐体に取付けた装飾部材の支持構造、及び表示パネルを収容する筐体に装飾部材を取付けた装飾部材の支持構造を備える表示装置に関する。
【背景技術】
【０００２】
近年、室内に設置される電気機器、例えば表示装置はインテリアとしての役割を担うようになってきており、表示パネルを収容する筐体の正面に装飾部材を取り付けて、表示装置の意匠性を向上させることが一般に行われている。
【０００３】
特許文献１には、不透明なフロントキャビネットの正面に、装飾部材としての透明なフロントカバーを取り付けた表示装置が開示されており、前記フロントカバーの裏面は凹凸を備え、波打った形状になっている。フロントキャビネットをフロントカバーを介して視認した場合には、前述したフロントカバーの波打った形状によって、フロントキャビネットは皺を有する皮革のように見えるので高級感が醸し出される。
【特許文献１】特開２００８−１６８５００号公報
【発明の開示】
【発明が解決しようとする課題】
【０００４】
ところで表示装置の意匠は流行にあわせて短期間で変更することが一般的であり、特許文献１に記載の表示装置において意匠を変更する場合には、フロントキャビネット及びフロントカバーの金型の設計変更を行うことが必要となる。しかし金型の設計変更には長時間を要し、また前記金型の設計変更を行うことによって表示装置の製造費用が嵩むという問題がある。
【０００５】
本発明は斯かる事情に鑑みてなされたものであり、その目的とするところは、一の金型にて製造され、筐体の形状に対応して変形することができる装飾部材を前記筐体にて支持する構造を提供し、また該装飾部材の支持構造を備える表示装置を提供することにある。
【課題を解決するための手段】
【０００６】
本発明に係る装飾部材の支持構造は、筐体の一面に形成された二つの溝の間を装飾する装飾部材を前記筐体にて支持する構造であって、前記二つの溝の側面に被係止部を設けてあり、前記装飾部材は、前記二つの溝に挿入され、前記二つの溝の間にて弾性変形し前記二つの溝の間を装飾する装飾部と該装飾部の前記二つの溝に挿入される部分に設けてあり、前記被係止部に係止する係止部とを備えることを特徴とする。
【０００７】
本発明においては、筐体の一面に形成された二つの溝の側面に設けてある被係止部に装飾部材の係止部を係止し、二つの溝の間に装飾部材の装飾部を配置することによって、筐体の意匠を変更するために前記二つの溝の相対位置を変更した場合に、筐体に取り付けられた装飾部は変更した溝の相対位置に対応して弾性変形する。
【０００８】
本発明に係る装飾部材の支持構造は、前記二つの溝は前記筐体の前記一面にて並設してあり、前記筐体における前記二つの溝の間は外方に突出した曲面をなし、前記装飾部は、前記曲面に沿って弾性変形した湾曲板部と、該湾曲板部に連なっており、前記二つの溝に挿入してある挿入板部とを備え、前記湾曲板部の弾性復元力は、前記挿入板部同士が離反する方向に作用しており、一方の前記溝の側面の内、他方の前記溝と反対側に位置する側面及び他方の前記溝の側面の内、一方の前記溝と反対側に位置する側面に前記被係止部をそれぞれ設けてあり、前記係止部は前記挿入板部に設けてあり、前記湾曲板部の前記弾性復元力によって前記溝の側面に近接し、前記被係止部に当接していることを特徴とする。
【０００９】
本発明においては、筐体の一面にて前記二つの溝を並設し、前記二つの溝の間における前記筐体の前記一面を外方に突出した曲面に形成し、前記曲面に沿って弾性変形した湾曲板部と、該湾曲板部に連なっており、前記二つの溝に挿入してある挿入板部とを前記装飾部に設け、前記湾曲板部の弾性復元力を前記挿入板部同士が離反する方向に作用させて、前記係止部を前記挿入板部に設けることによって、他方の前記溝と反対側に位置する一方の前記溝の側面及び一方の前記溝と反対側に位置する他方の前記溝の側面にそれぞれ設けてある被係止部に前記係止部を近接させる。
【００１０】
本発明に係る装飾部材の支持構造は、前記二つの溝は前記筐体の前記一面にて並設してあり、前記筐体における前記二つの溝の間は外方に突出した曲面をなし、前記装飾部は、前記曲面に沿って弾性変形した湾曲板部と、該湾曲板部に連なっており、前記二つの溝に挿入してある挿入板部とを備え、前記湾曲板部の弾性復元力は、前記挿入板部同士が接近する方向に作用しており、一方の前記溝の側面の内、他方の前記溝側に位置する側面及び他方の前記溝の側面の内、一方の前記溝側に位置する側面に前記被係止部をそれぞれ設けてあり、前記係止部は前記挿入板部に設けてあり、前記湾曲板部の前記弾性復元力によって前記溝の側面に近接し、前記被係止部に当接していること
を特徴とする。
【００１１】
本発明においては、筐体の一面にて前記二つの溝を並設し、前記二つの溝の間における前記筐体の前記一面を外方に突出した曲面に形成し、前記曲面に沿って弾性変形した湾曲板部と、該湾曲板部に連なっており、前記二つの溝に挿入してある挿入板部とを前記装飾部に設け、前記湾曲板部の弾性復元力を前記挿入板部同士が接近する方向に作用させて、前記係止部を前記挿入板部に設けることによって、他方の前記溝側に位置する一方の前記溝の側面及び一方の前記溝側に位置する他方の前記溝の側面にそれぞれ設けてある被係止部に前記係止部を近接させる。
【００１２】
本発明に係る装飾部材の支持構造は、前記被係止部は凸形をなし、前記係止部は凸形をなすことを特徴とする。
【００１３】
本発明においては、被係止部を凸形に形成し、係止部を凸形に形成することによって、係止部の凸部と被係止部の凸部とが掛止し、係止部は被係止部に確実に係止する。
【００１４】
本発明に係る装飾部材の支持構造は、前記溝の内側にて凸形の前記係止部は凸形の前記被係止部よりも内奥に位置しており、前記係止部と前記被係止部とは互いに逆向きに突出しており、前記係止部と前記被係止部とを掛止してあることを特徴とする。
【００１５】
本発明においては、凸形の前記係止部と凸形の前記被係止部とを互いに逆向きに突出させて、前記溝の内側にて前記係止部を前記被係止部よりも奥に位置させて、前記係止部を前記被係止部に掛止し、装飾部材の筐体への取り付けが解除されることを防止する。
【００１６】
本発明に係る装飾部材の支持構造は、前記被係止部は凹形をなし、前記係止部は凸形をなすことを特徴とする。
【００１７】
本発明においては、被係止部を凹形に形成し、係止部を凸形に形成することによって、係止部の凸部と被係止部の凹部とが係合し、係止部は被係止部に確実に係止する。
【００１８】
本発明に係る装飾部材の支持構造は、前記被係止部は凸形をなし、前記係止部は凹形をなすことを特徴とする。
【００１９】
本発明においては、被係止部を凸形に形成し、係止部を凹形に形成することによって、係止部の凹部と被係止部の凸部とが係合し、係止部は被係止部に確実に係止する。
【００２０】
本発明に係る装飾部材の支持構造は、前記装飾部の前記湾曲板部を前記挿入板部よりも薄肉に形成してあることを特徴とする。
【００２１】
本発明においては、装飾部の前記湾曲板部を前記挿入板部よりも薄肉に形成することによって、装飾部を曲げやすくする。
【００２２】
本発明に係る装飾部材の支持構造は、前記装飾部の前記湾曲板部に、前記溝に沿う複数の谷部を並設してあることを特徴とする。
【００２３】
本発明においては、装飾部の前記湾曲板部に、前記溝に沿う複数の谷部を並設することによって、装飾部を曲げやすくすると共に装飾部に複数の溝による模様を表出させて、装飾部の意匠性を向上させる。
【００２４】
本発明に係る表示装置は、映像を表示する表示パネルを備える表示装置において、前記表示パネルを収容する筐体の前記一面に形成された二つの溝の間を装飾する装飾部材を前記筐体に取付けた前記装飾部材の支持構造を備えることを特徴とする。
【００２５】
本発明においては、表示パネルを収容する筐体の前記一面に形成された二つの溝の側面に設けてある被係止部に装飾部材の係止部を係止し、前記二つの溝の間に装飾部材の装飾部を配置することによって、表示装置の意匠を変更するために前記二つの溝の相対位置が変更された場合に、筐体に取り付けられた装飾部はその弾性力によって前記二つの溝の間の形状に倣って変形する。
【発明の効果】
【００２６】
本発明に係る装飾部材の支持構造及び表示装置にあっては、筐体の一面に形成された二つの溝の側面に設けてある被係止部に装飾部材の係止部を係止し、二つの溝の間に装飾部材の装飾部を配置することによって、筐体の意匠を変更するために前記二つの溝の相対位置を変更した場合に、筐体に支持される装飾部は変更した溝の相対位置に対応して弾性変形するので、筐体の意匠の変更による装飾部材の金型の設計変更は不要となり、装飾部材の支持構造及び該支持構造を備える表示装置の製造費用の削減を図ることができる。
【発明を実施するための最良の形態】
【００２７】
（実施の形態１）
以下本発明を実施の形態１に係る装飾部材の支持構造及び表示装置を示す図面に基づいて詳述する。図１は表示装置の略示正面図、図２は装飾部材の略示側面図である。
図において１は、映像を表示する表示パネル２を収容する筐体である。該筐体１の正面には開口が設けてあり、該開口に表示パネル２が配置してある。また筐体１の下部に支持台３が設けてある。筐体１の正面下部には、左右に延びる二つの溝１０、１１が上下に並設してあり、下側に位置する溝１１の中央部は下側に大きく湾曲している。このため二つの溝１０、１１の間の寸法は、中央部に向かうに従って大きくなっている。二つの溝１０、１１には、表示装置を装飾するための左右に長く上下に短い板状の装飾部材４を取り付けてある。該装飾部材４の左右寸法は溝１０、１１の左右寸法と略同寸である。また装飾部材４の展開時の上下寸法は二つの溝１０、１１の間の寸法よりも大きい。
【００２８】
装飾部材４は弾性を有する素材を用いて押出成形されており、図２（ａ）に示すように、板状の装飾部４ａと、該装飾部４ａの上下端部にそれぞれ連なっており、装飾部４ａの一面側に向けて突出した鈎状に形成された二つの係止部４ｂ、４ｂとを備えている。装飾部材４を筐体１に取り付ける場合には、図２（ｂ）の矢印にて示すように、装飾部４ａの他面同士が対向するように前記装飾部４ａの中央部を湾曲させ、該湾曲によって互いに接近した係止部４ｂ、４ｂを二つの溝１０、１１にそれぞれ挿入して取り付ける。以下装飾部４ａの湾曲する部分を湾曲板部４ａ１といい、湾曲板部４ａ１に連なり、装飾部４ａの溝１０、１１に挿入される部分を挿入板部４ａ２という。
【００２９】
図３〜図８は図１のＩＩＩ−ＩＩＩ線〜ＶＩＩＩ−ＶＩＩＩ線での装飾部材の支持構造の要部構成を示す模式的側面部分断面図である。
二つの溝１０、１１は筐体１の正面下部に形成されており、いずれの左右寸法も筐体１の左右寸法よりも若干小さい。また図３〜図５に示すように、二つの溝１０、１１の奥行寸法は中央部に向かうに従って小さくなっており、換言すれば二つの溝１０、１１は徐々に浅くなっている。また二つの溝１０、１１の間において、筐体１は正面側に膨らんだ曲面になっている。また図６〜図８に示すように、溝１０、１１には部分的に底部分がなく、底部分がない位置に対応して、溝１０、１１に複数の凸形の被係止部が設けてある。
【００３０】
溝１０、１１の端部において、図６に示すように、凸形の被係止部１０ａが溝１０の上側面の最奥部に設けてあり、凸形の被係止部１１ａが溝１１の下側面に設けてある。
また溝１０、１１の端部及び中央部の間において、図７に示すように、被係止部１０ｂが、溝１０の上側面の最奥部と最前部との間から突出しており、被係止部１１ｂが、溝１１の下側面の最奥部と最前部との間から突出している。
また溝１０、１１の中央部において、図８に示すように、被係止部１０ｃが、溝１０の上側面の前部から突出しており、被係止部１１ｃが、溝１１の下側面の前部から突出している。
【００３１】
前記挿入板部４ａ２、４ａ２を二つの溝１０、１１にそれぞれ挿入して、装飾部材４を筐体１に取り付けた場合には、湾曲板部４ａ１は、正面側に膨らんだ筐体１の前記曲面に沿って弾性変形した状態で配置される。また前記挿入板部４ａ２は、前記湾曲板部４ａ１に作用する弾性復元力によって溝１０の上側面及び溝１１の下側面に近接する。また凸形の係止部４ｂ、４ｂは、凸形の被係止部１０ａ〜１０ｃ、１１ａ〜１１ｃよりも内奥に配置される。
【００３２】
図３〜図８に示すように、二つの溝１０、１１の間において正面側に膨らんだ筐体１の曲面は、中央部に向かうに従ってその上下寸法が大きくなり、その面積が大きくなっている。筐体１の前記曲面の面積が大きくなるに従って、湾曲板部４ａ１の面積が徐々に大きくなり、挿入板部４ａ２の奥行寸法は短くなる。溝１０、１１に挿入された係止部４ｂ、４ｂは、前記中央部寄りに配置されるに従ってより正面側に位置し、係止部４ｂ、４ｂと前記被係止部１０ａ〜１０ｃ、１１ａ〜１１ｃとは当接し、係止部４ｂ、４ｂは被係止部１０ａ〜１０ｃ、１１ａ〜１１ｃの奥部分に掛止する。
【００３３】
実施の形態１に係る装飾部材４及び表示装置にあっては、湾曲板部４ａ１を、筐体１の正面に形成された左右方向に延びる二つの溝１０、１１の間にて変形させて、前記二つの溝１０、１１の間を装飾し、装飾部４ａに設けた係止部４ｂ、４ｂを溝１０、１１の側面に係止している。溝１１は下側に湾曲しているため前記二つの溝１０、１１の間の寸法は一定でないが、装飾部４ａはその弾性力によって前記溝１０、１１の間の寸法に対応して変形する。
また筐体１の正面における二つの溝１０、１１の相対位置を変更して表示装置の意匠を変更した場合に、装飾部４ａは変更した溝の１０、１１の相対位置に対応して変形し筐体１に取り付けられるので、表示装置の意匠を変更する度に装飾部材４の金型の設計変更を行う必要はなく、表示装置の製造費用の削減を図ることができる。また板状をなす装飾部４ａの一面に前記係止部４ｂ、４ｂを形成し、前記装飾部４ａの他面自身が対向するように前記装飾部４ａを曲げて、該曲げによって接近した前記装飾部４ａの互いに対向する二辺を前記二つの溝１０、１１にそれぞれ挿入することにより、前記装飾部４ａの一面は弾性復元力によって溝１０の上側面及び溝１１の下側面に近接し、係止部４ｂ、４ｂと被係止部１０ａ〜１０ｃ、１１ａ〜１１ｃとが当接するので、係止部４ｂ、４ｂを被係止部１０ａ〜１０ｃ、１１ａ〜１１ｃに確実に係止させることができる。
【００３４】
なお実施の形態１においては、筐体１の正面下部に二つの溝１０、１１を並設し、溝１０、１１に装飾部材４を取り付けてあるが、筐体１の正面側部に上下方向に延びる二つの溝を並設し、該溝に装飾部材を取り付けても良い。また係止部４ｂ、４ｂは鈎状に形成されているが、鈎状に限らず突出した形状であれば良い。
【００３５】
図９は実施の形態１に係る装飾部材４の変形例の略示側面図である。図９に示すように、実施の形態１に係る装飾部材４の変形例においては、装飾部４ａの中央部を薄肉にしてあり、装飾部４ａを曲げやすくしてある。
図１０は実施の形態１に係る装飾部材４のその他の変形例の略示側面図である。図１０に示すように、実施の形態１に係る装飾部材４のその他の変形例においては、装飾部４ａの他面側に複数の谷部４ａａ、４ａａ、・・・４ａａを上下に並設してあり、装飾部４ａを曲げやすくすると共に、装飾部４ａを曲げた場合に、装飾部４ａの一面に複数の谷部４ａａ、４ａａ、・・・４ａａによる模様を表出させて、装飾部４ａの意匠性を向上させている。
【００３６】
図１１は実施の形態１に係る装飾部材の支持構造の変形例の要部構成を示す模式的側面部分断面図である。図１１に示すように、溝１０の上側面及び溝１１の下側面に凹形の被係止部１０ｄ、１１ｄがそれぞれ形成してあり、係止部４ｂ、４ｂは前記被係止部１０ｄ、１１ｄに係合している。
図１２は実施の形態１に係る装飾部材の支持構造のその他の変形例の要部構成を示す模式的側面部分断面図である。図１２に示すように、溝１０の上側面及び溝１１の下側面に凸形の被係止部１０ｅ、１１ｅがそれぞれ形成してある。装飾部４ａの上下縁付近には凹型の係止部４ｃ、４ｃが形成してあり、係止部４ｃ、４ｃは前記被係止部１０ｅ、１１ｅに係合している。また挿入板部４ａ２、４ａ２の先端部は、図１２に示すように、溝１０の下側面及び溝１１の上側面に向けてそれぞれ屈曲され、傾斜部４ａ３、４ａ３になっている。挿入板部４ａ２、４ａ２の挿入時に、傾斜部４ａ３、４ａ３は被係止部１０ｅ、１１ｅと摺動し、被係止部１０ｅ、１１ｅを円滑に乗り越えることができる。
【００３７】
（実施の形態２）
以下本発明を実施の形態２に係る装飾部材の支持構造及び表示装置を示す図面に基づいて詳述する。図１３は装飾部材の略示側面図である。
図１３に示す装飾部材４０は、弾性を有する素材を用いて押出成形されている。該装飾部材４０は、図１３（ａ）に示すように、先端に向かうに従って幅が狭くなる断面Ｕ形の装飾部４０ａと、該装飾部４０ａの二つの先端縁部にそれぞれ連なっており、装飾部４０ａの内側面から突出した鈎状の二つの係止部４０ｂ、４０ｂとを備えている。装飾部材４０は、図１３（ｂ）の矢印にて示すように、前記装飾部４０ａの二つの先端縁部を外側に開いて、前記係止部４０ｂ、４０ｂを二つの溝１０、１１にそれぞれ挿入して筐体１に取り付けてある（図１参照）。以下装飾部４０ａの湾曲した部分を湾曲板部４０ａ１といい、該湾曲板部４０ａ１に連なり、装飾部４０ａの溝１０、１１に挿入される部分を挿入板部４０ａ２という。
【００３８】
図１４〜図１６は図１のＸＩＶ−ＸＩＶ線〜ＸＶＩ−ＸＶＩ線での装飾部材の支持構造の要部構成を示す模式的側面部分断面図である。
溝１０、１１の端部において、図１４に示すように、凸形の被係止部１０ｆが溝１０の下側面の最奥部に設けてあり、凸形の被係止部１１ｆが溝１１の上側面に設けてある。
また溝１０、１１の端部及び中央部の間において、図１５に示すように、被係止部１０ｇが、溝１０の下側面の最奥部と最前部との間から突出しており、被係止部１１ｇが、溝１１の上側面の最奥部と最前部との間から突出している。
また溝１０、１１の中央部において、図１６に示すように、被係止部１０ｈが、溝１０の下側面の前部から突出しており、被係止部１１ｈが、溝１１の上側面の前部から突出している。
【００３９】
前記挿入板部４０ａ２、４０ａ２を二つの溝１０、１１にそれぞれ挿入して、装飾部材４０を筐体に取り付けた場合には、湾曲板部４０ａ１は、二つの溝１０、１１の間において正面側に膨らんだ前記筐体１の曲面に沿って弾性変形した状態で配置される。また前記挿入板部４０ａ２は湾曲板部４０ａ１に作用する弾性復元力によって溝１０の下側面及び溝１１の上側面に近接する。また凸形の係止部４０ｂ、４０ｂは、凸形の被係止部１０ｆ〜１０ｈ、１１ｆ〜１１ｈよりも内奥に配置される。
図１４〜図１６に示すように、二つの溝１０、１１の間において正面側に膨らんだ筐体１の曲面は、中央部に向かうに従ってその上下寸法が大きくなり、面積が大きくなっている。前記筐体１の曲面の面積が大きくなるに従って、湾曲板部４０ａ１の面積が徐々に大きくなって、挿入板部４０ａ２、４０ａ２の奥行寸法は短くなる。溝１０、１１に挿入された係止部４０ｂ、４０ｂは前記中央部に向かうに従ってより正面側に位置し、係止部４０ｂ、４０ｂの位置と前記被係止部１０ｆ〜１０ｈ、１１ｆ〜１１ｈとは当接し、係止部４０ｂ、４０ｂは被係止部１０ｆ〜１０ｈ、１１ｆ〜１１ｈの奥部分に掛止する。
【００４０】
実施の形態２に係る装飾部材４０の支持構造及び表示装置にあっては、装飾部４０ａを断面Ｕ形に押出成形し、装飾部４０ａの内側面に凸形の係止部４０ｂ、４０ｂを設け、前記装飾部４０ａを外側に開いて、前記係止部４０ｂ、４０ｂを前記二つの溝１０、１１にそれぞれ挿入することによって、弾性復元力の作用により前記装飾部４０ａの内側面は溝１０の下側面及び溝１１の上側面に近接する。その結果前記係止部４０ｂ、４０ｂと被係止部１０ｆ〜１０ｈ、１１ｆ〜１１ｈとが当接するので、係止部４０ｂ、４０ｂを被係止部１０ｆ〜１０ｈ、１１ｆ〜１１ｈに確実に係止させることができる。
【００４１】
なお湾曲板部４０ａ１を挿入板部４０ａ２よりも薄肉に形成して弾性変形しやすくしても良く、湾曲板部４０ａ１に溝１０、１１に沿う複数の谷部を形成して装飾部材４０の意匠性を高めても良い。また係止部４０ｂ、４０ｂは鈎状に形成されているが、鈎状に限らず突出した形状であれば良い。
【００４２】
図１７は実施の形態２に係る装飾部材４０の支持構造の変形例を示す模式的側面部分断面図である。図１７に示すように、溝１０の下側面及び溝１１の上側面に凹形の被係止部１０ｉ、１１ｉがそれぞれ形成してあり、係止部４０ｂ、４０ｂが前記被係止部１０ｉ、１１ｉに係合している。
図１８は実施の形態２に係る装飾部材４０の支持構造のその他の変形例を示す模式的側面部分断面図である。図１８に示すように、溝１０の下側面及び溝１１の上側面に凸形の被係止部１０ｊ、１１ｊがそれぞれ形成してあり、装飾部４０ａの二つの先端縁付近には凹型の係止部４０ｃ、４０ｃが形成してあり、係止部４０ｃ、４０ｃは前記被係止部１０ｊ、１１ｊに係合している。また挿入板部４０ａ２、４０ａ２の先端部は、図１８に示すように、溝１０の上側面及び溝１１の下側面に向けてそれぞれ屈曲され、傾斜部４０ａ３、４０ａ３になっている。挿入板部４０ａ２、４０ａ２の挿入時に、傾斜部４０ａ３、４０ａ３は被係止部１０ｊ、１１ｊと摺動し、被係止部１０ｊ、１１ｊを円滑に乗り越えることができる。
【００４３】
実施の形態２に係る装飾部材４０及び表示装置の構成の内、実施の形態１と同様な構成については同じ符号を付し、その詳細な説明を省略する。
【図面の簡単な説明】
【００４４】
【図１】実施の形態１に係る表示装置の略示正面図である。
【図２】実施の形態１に係る装飾部材の略示側面図である。
【図３】図１のＩＩＩ−ＩＩＩ線での装飾部材の支持構造の要部構成を示す模式的側面部分断面図である。
【図４】図１のＩＶ−ＩＶ線での装飾部材の支持構造の要部構成を示す模式的側面部分断面図である。
【図５】図１のＶ−Ｖ線での装飾部材の支持構造の要部構成を示す模式的側面部分断面図である。
【図６】図１のＶＩ−ＶＩ線での装飾部材の支持構造の要部構成を示す模式的側面部分断面図である。
【図７】図１のＶＩＩ−ＶＩＩ線での装飾部材の支持構造の要部構成を示す模式的側面部分断面図である。
【図８】図１のＶＩＩＩ−ＶＩＩＩ線での装飾部材の支持構造の要部構成を示す模式的側面部分断面図である。
【図９】実施の形態１に係る装飾部材の変形例の略示側面図である。
【図１０】実施の形態１に係る装飾部材のその他の変形例の略示側面図である。
【図１１】実施の形態１に係る装飾部材の支持構造の変形例の要部構成を示す模式的側面部分断面図である。
【図１２】実施の形態１に係る装飾部材の支持構造のその他の変形例の要部構成を示す模式的側面部分断面図である。
【図１３】実施の形態２に係る装飾部材の略示側面図である。
【図１４】図１のＸＩＶ−ＸＩＶ線での装飾部材の支持構造の要部構成を示す模式的側面部分断面図である。
【図１５】図１のＸＶ−ＸＶ線での装飾部材の支持構造の要部構成を示す模式的側面部分断面図である。
【図１６】図１のＸＶＩ−ＸＶＩ線での装飾部材の支持構造の要部構成を示す模式的側面部分断面図である。
【図１７】実施の形態２に係る装飾部材の支持構造の変形例を示す模式的側面部分断面図である。
【図１８】実施の形態２に係る装飾部材の支持構造のその他の変形例を示す模式的側面部分断面図である。
【符号の説明】
【００４５】
１  筐体
２  表示パネル
４、４０  装飾部材
４ａ、４０ａ  装飾部
４ａ１、４０ａ１  湾曲板部
４ａ２、４０ａ２  挿入板部
４ａａ  谷部
４ｂ、４０ｂ  係止部
１０、１１  溝
１０ａ〜１０ｊ、１１ａ〜１１ｊ  被係止部
【図１】
2010089426.tif 000003
【図２】
2010089426.tif 000004
【図３】
2010089426.tif 000005
【図４】
2010089426.tif 000006
【図５】
2010089426.tif 000007
【図６】
2010089426.tif 000008
【図７】
2010089426.tif 000009
【図８】
2010089426.tif 000010
【図９】
2010089426.tif 000011
【図１０】
2010089426.tif 000012
【図１１】
2010089426.tif 000013
【図１２】
2010089426.tif 000014
【図１３】
2010089426.tif 000015
【図１４】
2010089426.tif 000016
【図１５】
2010089426.tif 000017
【図１６】
2010089426.tif 000018
【図１７】
2010089426.tif 000019
【図１８】
2010089426.tif 000020